(57)【特許請求の範囲】
【請求項１】
艇体の幅方向中心線上にハンドルを配置し、このハンドルの前方に艇体の前上部を覆うフロントフードを備え、このフロントフードの左右下縁にそれぞれ左右のサイドカバーを配置し、これらのサイドカバーとフロントフードとの間の隙間から艇体内にエアを導入する小型艇において、
前記フロントフードとサイドカバーとの間の隙間に、前記エアの導入が可能で、かつ水の導入を阻止するラビリンス構造を備えた小型艇であって、
前記ラビリンス構造は、
左右のサイドカバーの前上部に設けられた水平面と、
水平面の内端に設けられた鉛直面と、
水平面及び鉛直面にまたがって設けられた複数枚の遮蔽板と、
前記水平面、前記鉛直面及び前記複数枚の遮蔽板の上方を覆う前記フロントフードとからなることを特徴とする小型艇。
【請求項２】
前記複数枚の遮蔽板を前方から後方に向けて上り勾配で配置したことを特徴とする請求項１記載の小型艇。
【請求項３】
前記フロントフードは、前端のヒンジを軸にして開放可能で、後端のラッチでデッキ側に係止可能であることを特徴とする請求項１記載の小型艇。
【請求項４】
前記鉛直面の高さ及び前記遮蔽板の高さを、前記サイドカバーと前記フロントフードとの間の隙間より高くしたことを特徴とする請求項１記載の小型艇。
【請求項５】
前記艇体の上部を構成するデッキと前記フロントフードとの間にポストカバーを設け、このポストカバー及び前記デッキで室を形成し、この室に左右の開口を形成し、前記デッキに吸気ダクトを取付け、この吸気ダクトを前記室に臨ませたことを特徴とする請求項１記載の小型艇。
【発明の詳細な説明】
【０００１】
【発明の属する技術分野】
本発明は、艇体の前上部をフロントフードで覆い、フロントフードの左右下縁にそれぞれ左右のサイドカバーを配置し、左右のサイドカバーとフロントフードとの間の隙間から艇体内にエアを導入する小型艇に関する。
【０００２】
【従来の技術】
小型艇として、艇体の後部にジェットポンプを取付け、このジェットポンプをエンジンで駆動することにより艇底から水を吸込み、吸込んだ水を後方に噴射して推進するジェット推進艇が知られている。
小型艇のエンジンは艇体内に備えており、エンジンに供給するエアを艇体内に導く必要がある。この小型艇として、例えば特開平１１−２７８３８７号公報「船艇用内燃機関への水入り防止装置」が知られている。以下、この公報に示す図２を次図に再掲（但し、符号は振り直す）して小型艇について詳しく説明する。
【０００３】
図７は従来の小型艇の断面図である。小型艇１００は、艇体１０１の前部１０１ａにハンドル１０２を配置し、このハンドル１０２の前方に物入れボックス１０３を備え、この物入れボックス１０３の上端開口１０３ａをカバー（フロントフード）１０４で覆い、このフロントフード１０４の前端部１０４ａにフロントフード１０４を上下方向にスイング可能にヒンジ（図示しない）を備え、フロントフード１０４と艇体１０１との間に隙間（図示しない）を開け、この隙間に連通する吸気ダクト１０５を物入れボックス１０３の後方に備える。
【０００４】
この小型艇１００によれば、フロントフード１０４と艇体１０１との間の隙間から進入したエアを、吸気ダクト１０５の入口に矢印ａの如く導き、吸込管１０５の出口から矢印ｂの如く艇体１０１内に導入し、艇体１０１内に導入したエアをエンジン（図示しない）内に供給することができる。
【０００５】
【発明が解決しようとする課題】
しかし、フロントフード１０４と艇体１０１との間にエアを導入する隙間が開いているために、小型艇１００の推進中にフロントフード１０４や艇体１０１に海水や水がかかることが考えられる。このように、フロントフード１０４や艇体１０１に海水や水がかかると、かかった海水や水が隙間に流れ込み、隙間に流れ込んだ海水や水が吸気ダクト１０５を通って艇体１０１内に侵入する虞れがある。
【０００６】
そこで、本発明の目的は、フロントフードと艇体との間の隙間からエアを導入することができ、かつ、この隙間から海水や水が侵入することを阻止できる小型艇を提供することにある。
【０００７】
【課題を解決するための手段】
上記課題を解決するために請求項１は、艇体の幅方向中心線上にハンドルを配置し、このハンドルの前方に艇体の前上部を覆うフロントフードを備え、このフロントフードの左右下縁にそれぞれ左右のサイドカバーを配置し、これらのサイドカバーとフロントフードとの間の隙間から艇体内にエアを導入する小型艇において、前記フロントフードとサイドカバーとの間の隙間に、前記エアの導入が可能で、かつ水の導入を阻止するラビリンス構造を備えた小型艇であって、前記ラビリンス構造は、左右のサイドカバーの前上部に設けられた水平面と、水平面の内端に設けられた鉛直面と、水平面及び鉛直面にまたがって設けられた複数枚の遮蔽板と、前記水平面、前記鉛直面及び前記複数枚の遮蔽板の上方を覆う前記フロントフードとからなることを特徴とする。
【０００８】
フロントフードとサイドカバーとの間の隙間にラビリンス構造を備えることで、フロントフードとサイドカバーとの間の隙間からエアの導入を可能にしつつ、水の導入を阻止するようにした。
このため、例えば小型艇の推進中にフロントフードや艇体に海水や水がかかった場合でも、フロントフードや艇体にかかった海水や水が隙間から流れ込んで艇体内に侵入することを防ぐことができる。
【０００９】
請求項２は、前記複数枚の遮蔽板を前方から後方に向けて上り勾配で配置したことを特徴とする。
【００１０】
ラビリンス構造を構成するために、サイドカバーの上端に複数枚の遮蔽板を前方から後方に向けて上り勾配で配置した。複数枚の遮蔽板を配置するだけの簡単な構成でラビリンス構造を得ることができる。
請求項３は、前記フロントフードは、前端のヒンジを軸にして開放可能で、後端のラッチでデッキ側に係止可能であることを特徴とする。
請求項４は、前記鉛直面の高さ及び前記遮蔽板の高さを、前記サイドカバーと前記フロントフードとの間の隙間より高くしたことを特徴とする。
請求項５は、前記艇体の上部を構成するデッキと前記フロントフードとの間にポストカバーを設け、このポストカバー及び前記デッキで室を形成し、この室に左右の開口を形成し、前記デッキに吸気ダクトを取付け、この吸気ダクトを前記室に臨ませたことを特徴とする。
【００１１】
【発明の実施の形態】
本発明の実施の形態を添付図に基づいて以下に説明する。なお、図面は符号の向きに見るものとする。
図１は本発明に係る小型艇の側面図である。
小型艇１０は、艇体１１の下部を構成するハル１２と、艇体１１の上部を構成するデッキ１３とを組合せて艇体１１を構成し、この艇体１１の幅方向中心線上に操舵ハンドル（ハンドル）１４を配置し、この操舵ハンドル１４の前方に艇体１１の前上部１５を覆うフロントフード１６を備え、このフロントフード１６の後下部の下側に左右のサイドカバー２０，２１の前上部２２、２３を配置し、左右のサイドカバー２０，２１の後方に鞍乗り式のシート２４を備え、このシート２４の前方下側の艇体内空間２５に燃料タンク２６を配置し、この燃料タンク２６後方の艇体内空間２５にエンジン２７を配置し、このエンジン２７の側面に備えた吸気系に縦長のエアボックス２８を設け、このエンジン２８後方の艇尾２９にジェット推進機室３１を設け、このジェット推進機室３１にジェット推進機３２を備えたジェット推進艇である。
【００１２】
この小型艇１０は、フロントフード１６と左右のサイドカバー２０，２１との間にそれぞれ左右の隙間Ｓ，Ｓを備え、左右の隙間Ｓ，Ｓにそれぞれ左右のラビリンス構造４０，４１とした。左右のラビリンス構造４０，４１は、それぞれ隙間Ｓ，Ｓから進入したエアを艇体内空間２５に導入することが可能で、左右の隙間Ｓ，Ｓ内に侵入した海水や水を艇体内空間２５に導入することを阻止するように構成したものである。
【００１３】
ジェット推進機３２は、艇底３３の入口３４から後方へ延びたハウジング３５を有し、このハウジング３５内にインペラ３６を回転自在に取り付け、インペラ３６をエンジン２７の駆動軸３７に連結したものである。
【００１４】
小型艇１０を推進する際には、左右のサイドカバー２０，２１とフロントフード１６との間の隙間Ｓ，Ｓから矢印の如く艇体内にエアを導入し、この導入したエアを一対の吸気ダクト６２，６２及び吸気ホース６３，６３（図４に示す）を介して艇体内空間２５に導入し、艇体内空間２５に導入したエアをエアボックス２８から吸込み、吸込んだエアを吸気管２８ａを介してエンジン２７のシリンダ（図示しない）内に供給する。
【００１５】
エンジン２７を駆動することで、エンジン２７の回転を駆動軸３７に伝えることによりインペラ３６を回転する。これにより、艇底３３の入口３４から水を吸引し、吸引した水をハウジング３５を通してジェット水としてステアリングノズル３８に導く。
ステアリングノズル３８に導いたジェット水をステアリングノズル３８から噴射することにより、小型艇１０を推進させることができる。
【００１６】
図２は本発明に係る小型艇の要部を示す側面図であり、艇体１１の前上部１５をフロントフード１６で閉じた状態を示す。
フロントフード１６を閉じることで左右のサイドカバー２０，２１の前上部２２，２３にフロントフード１６の後下部を配置し、フロントフード１６の左右の後下縁１７ａ，１７ｂと左右のサイドカバー２０，２１のそれぞれの前上部２２，２３との間に左右の隙間Ｓ，Ｓを形成し、これらの隙間Ｓ，Ｓにそれぞれ左右のラビリンス構造４０，４１を形成する。
【００１７】
図３は本発明に係る小型艇の要部を示す斜視図であり、フロントフード１６を前端のヒンジ（図示しない）を軸に開放して状態を示す。
フロントフード１６の後端に取付けたラッチ５２をデッキ１３側の係止部材５３から外して、フロントフード１６をヒンジを軸に上方に持上げることにより、フロントフード１６を開けることができる。フロントフード１６の裏面１６ａには物品収納箱５４の蓋体（図示しない）を取付けているので、フロントフード１６を持上げることにより、物品収納箱５６を開けることができる。
【００１８】
左右のサイドカバー２０，２１には、それぞれ左右の前上部２２，２３を備える。左前上部２２は、艇体１１の中央に向けて略水平に折り曲げた水平面４２を備え、この水平面４２の内端に略垂直に曲げた鉛直面４３を備える。水平面４２と鉛直面４３とに４枚の遮蔽板４４・・・（・・・は複数を示す）を所定間隔をおいて配置し、それぞれの遮蔽板４４・・・を前方から後方に向けて上り勾配で配置した。
右サイドカバー２１の前上部２３は、左サイドカバー２０の前上部２２と同一構成なので、同じ符号を付して説明を省略する。
【００１９】
図４は図２の４−４線断面図であり、艇体１１の上部を構成するデッキ１３の左右に左右のサイドカバー２０，２１を備え、デッキ１３とフロントフード１６との間にポストカバー６１を設けることにより室６４を形成し、この室６４に左右の開口６５，６６を形成し、フロントフード１６の上にフードカバー１８を備え、デッキ１３に一対の吸気ダクト６２，６２を取付けることにより一対の吸気ダクト６２，６２を室６４に開口し、これらの吸気ダクト６２，６２にそれぞれ吸気ホース６３，６３を接続することで、一対の吸気ダクト６２，６２を艇体内空間２５に連通させた状態を示す。
【００２０】
さらに、この図は、左右のサイドカバー２０，２１のそれぞれの水平面４２，４２とフロントフード１６の左右の後下縁１７ａ，１７ｂとの間に左右の隙間Ｓ，Ｓを形成し、左右の空間４５，４５に左右のラビリンス構造４０，４１を構成した状態を示す。
【００２１】
左右のラビリンス機構４０，４１は、図３に示すように左右のサイドカバー２０，２１のエリアＥ，Ｅに備えられている。その理由は、室６４の左右に形成した開口６５，６６（図４に示す）がエリアＥ，Ｅに対応する部位に備えられているため、左右の開口６５，６６から侵入した海水や水が一対の吸気ダクト６２，６２に入り込む虞れがあるからである。
但し、左右のラビリンス機構４０，４１を備える部位は、エリアＥ，Ｅに限らないで任意に決めることができる。
【００２２】
このように構成した小型艇１０によれば、左右の隙間Ｓ，Ｓから左右の空間４５，４５にエアが進入し、進入したエアを一対の吸気ダクト６２，６２に矢印の如く導き、一対の吸気ダクト６２，６２のエアを吸気ホース６３，６３を介してそれぞれの出口から艇体内空間２５に導くことができる。
【００２３】
ところで、左ラビリンス構造４０は、左サイドカバー２０の水平面４２と、この水平面４２の内端から鉛直に設けた鉛直面４３とに遮蔽板４４…を後ろ向きに上り勾配で配置し、鉛直面４３の高さＨ及び遮蔽板４４…の高さＨを隙間Ｓより高く設定することで左空間４５をラビリンス状態にしたものである。
【００２４】
ここで、水平面４２を艇体１１の外側に向けて角度θ１の下り勾配に形成しているが、この理由については後述する。
右ラビリンス構造４１も、左ラビリンス構造４０と同様の構成であるので、同一部材に同一符号を付して説明を省略する。
なお、左ラビリンス構造４０を図５でさらに詳しく説明する。
【００２５】
図５は本発明に係る小型艇の要部を示す斜視図であり、左側のラビリンス構造４０を示す。
左サイドカバー２０の水平面４２と鉛直面４３とに４枚の遮蔽板４４・・・を所定間隔をおいて配置し、それぞれの遮蔽板４４・・・を側面視で前方から後方に向けて角度θ２の上り勾配に傾けるとともに、それぞれの遮蔽板４４・・・を平面視で外側に向けて角度θ３の下り勾配で傾け、左サイドカバー２０の水平面４２、鉛直面４３及び４枚の遮蔽板４４・・・をフロントフード１６で覆うことにより、左サイドカバー２０の水平面４２とフロントフード１６の左後下縁１７ａとの間の左隙間Ｓを、左サイドカバー２０の鉛直面４３の高さＨ及び４枚の遮蔽板４４・・・の高さＨより低くすることで左空間４５に左側のラビリンス構造４０を備える。
【００２６】
左ラビリンス構造４０を、左サイドカバー２０の上端に遮蔽板４４・・・を前方から後方に向けて上り勾配で配置するだけの簡単な構成で構成することができるので、小型艇のコストアップを抑えることができる。
【００２７】
左空間４５に左側のラビリンス構造４０を備えることで、左隙間Ｓから左空間４５内に侵入した海水や水を艇体内空間２５に侵入することを阻止することができる。
一方、左隙間Ｓから左空間４５内に進入したエアは、ラビリンス構造４０（すなわち、遮蔽板４４・・・や鉛直面４３）を乗り越えて艇体内空間２５に進入することができる。
【００２８】
次に、小型艇の作用を図６に基づいて説明する。
図６（ａ），（ｂ）は本発明に係る小型艇の作用を示す作用説明図であり、（ａ）はエアを導入する例を示し、（ｂ）は海水や水の侵入を阻止する例を示す。
（ａ）において、左隙間Ｓから左空間４５内にエアが矢印▲１▼の如く進入する。エアは水と比較して比重が軽いので、左空間４５に進入したエアは、遮蔽板４４・・・や鉛直面４３で構成した左ラビリンス構造４０を乗り越えて矢印▲２▼の如く艇体内空間２５に進入する。
このため、左隙間Ｓから艇体内空間２５にエアを取入れて、取入れたエアをエアボックス２８から吸込んでエンジン２７（図１に示す）に供給することができる。
【００２９】
（ｂ）において、左隙間Ｓから左空間４５内に海水や水が矢印▲３▼の如く侵入する。海水や水はエアと比較して比重が重いので、左空間４５内に侵入した海水や水は遮蔽板４４・・・のそれぞれの間に矢印の如く流れ込む。
ここで、遮蔽板４４・・・を側面視で前方から後方に向けて角度θ２の上り勾配に傾けている。よって、遮蔽板４４・・・の間に流れ込んだ海水や水は遮蔽板４４・・・の裏面４４ａ・・・で上昇することが遮られ、水平面４２に沿って鉛直面４３まで流れる。
【００３０】
ここで、遮蔽板４４・・・を平面視で外側に向けて角度θ３の下り勾配で傾けている。よって、鉛直面４３に到達した海水や水は、遮蔽板４４・・・の角度θ３の下り勾配に沿って左隙間Ｓに向って矢印▲４▼の如く流れる。
海水や水が左隙間Ｓの近傍まで流れると、この部位で左サイドカバー２０の水平面４２は、図４で説明したように角度θ１の下り勾配になっているので、水平面４２に沿って効率よく左隙間Ｓに向って流れ、左隙間Ｓから艇体１１の外側に流出する。このため、海水や水が艇体内空間２５に侵入することを阻止することができる。
【００３１】
なお、前記実施形態では、鉛直面４３の高さ及び遮蔽板４４・・・の高さを各々同じ高さＨとして説明したが、これに限らないで、鉛直面４３の高さと遮蔽板４４・・・の高さとを異ならせることも可能である。
さらに、前記実施形態では、小型艇としてジェットポンプで推進するジェット推進艇１０を例に説明したが、小型艇の推進手段はこれに限定するものではない。
【００３２】
【発明の効果】
本発明は上記構成により次の効果を発揮する。
請求項１は、フロントフードとサイドカバーとの間の隙間にラビリンス構造を備えることで、フロントフードとサイドカバーとの間の隙間からエアの導入を可能にしつつ、水の導入を阻止するようにした。
【００３３】
このため、例えば小型艇の推進中にフロントフードや艇体に海水や水がかかった場合でも、フロントフードや艇体にかかった海水や水が隙間から流れ込んで艇体内に侵入することを防ぐことができる。
【００３４】
請求項２は、複数枚の遮蔽板を前方から後方に向けて上り勾配で配置した。複数枚の遮蔽板を配置するだけの簡単な構成でラビリンス構造を得ることができるので、小型艇のコストアップを抑えることができる。
請求項３は、フロントフードが、前端のヒンジを軸にして開放可能で、後端のラッチでデッキ側に係止可能である。
請求項４は、鉛直面の高さ及び遮蔽板の高さを、サイドカバーとフロントフードとの間の隙間より高くした。
請求項５は、艇体の上部を構成するデッキとフロントフードとの間にポストカバーを設け、このポストカバー及びデッキで室を形成し、この室に左右の開口を形成し、デッキに吸気ダクトを取付け、この吸気ダクトを室に臨ませた。
【図面の簡単な説明】
【図１】本発明に係る小型艇の側面図
【図２】本発明に係る小型艇の要部を示す側面図
【図３】本発明に係る小型艇の要部を示す斜視図
【図４】図２の４−４線断面図
【図５】本発明に係る小型艇の要部を示す斜視図
【図６】本発明に係る小型艇の作用を示す作用説明図
【図７】従来の小型艇の断面図
【符号の説明】
１０…小型艇、１１…艇体、１１ａ…艇尾、１３…デッキ、１４…操舵ハンドル（ハンドル）、１５…艇体の前上部、１６…フロントフード、１７ａ…フロントフードの左後下縁、１７ｂ…フロントフードの右後下縁、２０…左サイドカバー、２１…右サイドカバー、２５…艇体内空間、４０…左ラビリンス構造、４１…右ラビリンス構造、４２…水平面、４３…鉛直面、４４…遮蔽板、５２…ラッチ、６１…ポストカバー、６４…室、６５…左開口、６６…右開口、６２…吸気ダクト、Ｈ…鉛直面・遮蔽板の高さ、Ｓ…隙間。
【図１】
0003938485.tif 000002
【図２】
0003938485.tif 000003
【図３】
0003938485.tif 000004
【図４】
0003938485.tif 000005
【図５】
0003938485.tif 000006
【図６】
0003938485.tif 000007
【図７】
0003938485.tif 000008